Podtech/llm-jp-corpus-v4-ja_patent huggingface dataset:
(57)【要約】【目的】手や足先全体のツボや面を、簡単かつ効率的に刺激やマッサージを可能にしたマッサージ器具である。【構成】（１）容器の中に（２）球形、俵形、突起有形、多面体などのボールを入れ必要に応じて（３）傾け用台を使って（１）容器を傾けられる構造になっている。【選択図】図１
2006334371.tif 000002
【特許請求の範囲】
【請求項１】
球形、俵形、突起有形、多面体などのボールを利用した、手や足先全体のツボを簡単かつ効率的に刺激やマッサージを可能にしたボール入りマッサージ器具である。
【発明の詳細な説明】
【発明の詳細な説明】
【０００１】本発明は、球形、俵形、突起有形、多面体などのボールを利用した、手や足先全体のツボを簡単かつ効率的に刺激やマッサージを可能にしたボール入りマッサージ器具である。
【０００２】現状では、手や足先の側面や指先のツボを刺激やマッサージが出来る器具は数少ない。
【０００３】本発明品を利用する事によって、手や足先の側面や指先のツボを簡単かつ効率的に刺激やマッサージが出来る。
【０００４】本発明は、ボール入りの容器の中に手や足先を入れて手足を前後左右の多方向に動かす事によって手足の血行や脳の血行までも良くなるボール入りマッサージ器具である。
【０００５】又、手足を前後左右の多方向に動かすことによって、筋力の強化やリハビリ効果も期待できるボール入りマッサージ器具である。
【０００６】本発明を図で説明すると
（１）容器、の中に（２）球形、俵形、突起有形、多面体のボール、を入れ、必要に応じて（３）傾け用台、を使って（１）の容器を傾けられる構造である。
【図面の簡単な説明】
【図１】本発明の簡略図  （断面図）
【符号の説明】
（１）      容器
（２）      ボール  （球形、俵形、突起有形、多面体など）
（３）      傾け用台
【図１】
2006334371.tif 000003
(57)【要約】【課題】従来の音の残響装置を内蔵した玩具は、電池などの電源が必要で、不経済であり、また、音の残響の原理がブラックボックスとなり、玩具の教育的効果が損なわれるという問題があった。これは電子的に音の残響を作り出しているためである。【解決手段】音の残響装置を内蔵した玩具において、内蔵する残響装置に、ばねの音の共鳴と反射の作用を利用する方法を用いた装置を設けて構成した。これにより電池などの電源を必要としないため経済性を高めることができる。また、電子回路を使用しないため音の残響の原理がブラックボックスにならないので、教育的効果の高い玩具を提供できる。【選択図】図１
2006334383.tif 000002
【特許請求の範囲】
【請求項１】
ばねを備えた音の残響装置を内蔵した玩具
【発明の詳細な説明】
【技術分野】
【０００１】  本発明は、内蔵された音の残響装置の非電子化を図った玩具に関する。
【背景技術】
【０００２】  従来の音の残響装置を内蔵した玩具は電子的に音の残響を作り出す装置を利用したものであった。【０００３】  以下、図２により従来の電子的に音の残響を作り出す装置を内蔵した玩具について説明する。図は内蔵された音の残響装置の回路図のブロック図である。５は増幅回路で、マイクロフォン６、遅延回路７、スピ−カ−８が接続されている。
【発明の開示】
【発明が解決しようとする課題】  以上述べた従来の玩具では、電池などの電源が必要で、不経済であり、また、音の残響の原理がブラックボックスとなり、玩具の教育的効果が損なわれるものであった。【０００４】  本発明は、このような従来の構成が有していた問題を解決しようとするものであり、内蔵された電子的に音の残響を作り出す装置の不経済と教育的効果が損なわれる困難を効果的に解消し、経済性と教育的効果の高揚を実現することを目的とするものである。
【課題を解決するための手段】
【０００５】  そして、本発明は上記目的を達成するためにばねを備えた残響装置を設けたものである。【０００６】  上記の課題解決手段による作用は次の通りである。すなわち、音がばねに伝わると共鳴と反射のため、音の残響を作り出すという効果を発揮する。
【発明の効果】
【０００７】  上記のように本発明の玩具は、音の残響を経済的に作り出すことことができるとともに、教育的効果の高い玩具を提供できる。
【発明を実施するための最良の形態】
【０００８】  以下、本発明の実施の形態を図１に基づいて説明する。【０００９】  図においては、１は本体ケ−スで、振動板左２と振動板右３を有している。ばね４は振動板左２と振動板右３に支持されている。【００１０】  以下、上記構成の動作を説明する。音が振動板左２を振動させると、振動はばね４に伝わる。ばね４に伝わった振動は共鳴と反射の後、振動板右３に伝わる。振動板右３に伝わった振動は残響音として聞こえる効果が得られるものである。
【図面の簡単な説明】
【００１１】
【図１】  本発明の実施形態を示す音の残響装置を内蔵した玩具の断面図
【図２】  従来の玩具に内蔵された音の残響装置の回路図のブロック図
【符号の説明】
【００１２】  １  本体ケ−ス
２  振動板左
３  振動板右
４  ばね
５  増幅回路
６  マイクロフォン
７  遅延回路
８  スピ−カ−
【図１】
2006334383.tif 000003
【図２】
2006334383.tif 000004
(57)【要約】      （修正有）【課題】便座を洋式用だけにしてしまい、和式用には使用できないという不都合を解決すること。【解決手段】便座の形をＵ字型にすることにより、又とりはずし可能なように高さをつけた和式用便座により、この課題を解決する。【選択図】なし【特許請求の範囲】
【請求項１】
柄の上からかぶせるように置くことによって、座わりながら用がたせるようにした便座
【発明の詳細な説明】
【技術分野】
【０００１】  本発明は、便座に関するものであり、便座の柄の形状に工夫を加える事によって便座にまたがるようにして座わって用がたせるようにしたものです。
【背景技術】
【０００２】  従来から、便座用具として、柄の形状が洋式の便座が利用されている。
この例として、特許文献１や非特許文献１に開示されているものがある。
【特許文献１】  私は在じません。
【非特許文献１】  私は在じません。
【発明の開示】
【発明が解決しようとする課題】
【０００３】  しかし、従来のような柄の形状が洋式用の便座では、和式用には合わず、非常に不便です。本発明は、このような、便座を和式用にはあてはまらないという不都合を解決することを課題とします。
【課題を解決するための手段】
【０００４】  この課題を解決するための請求項１の発明は、柄の上からおおいかぶせるようにして座わりながら用がたせるようにしたことを特徴とする、和式用お座わり便座です。和式用便器の形に合わせて高さをつけることにより、便座が、和式用便器を使えないような方たちが使用できないことを防止します。
【発明の効果】
【０００５】  本発明により、便座をとりはずし可能な形にすることによって、和式の便器が使用できない方が、和式用お先洗を使えないという不都合はおきず、便座を使用しない場合はとりはずしておける。【０００６】  これら便座の材料は、通常のもので良い。また便座の柄の形はＵ字型が最良と思われます。
【産業上の利用可能性】
【０００７】  本発明に係る便座は、工業的に量産することが可能であるため、産業上の利用可能性を有する。
(57)【要約】【課題】本発明は、治療の難渋する整形外科的疾患に対して数年で大いに普及されることが予想されるＴａｙｌｏｒ  Ｓｐａｔｉａｌ  Ｆｒａｍｅ創外固定器（以下ＴＳＦ創外固定器）に接続することができる、レントゲン撮影時に用いる方向支持器である。この創外固定器の使用の際に、ある基準点に対して正確な真正面と真側面のレントゲン撮影が定期的に必要であるが、従来、いかなる工夫を用いても正確なレントゲン撮影には難渋していた。このレントゲン撮影を容易にする方向指示器を提供する。【解決手段】  ＴＳＦ創外固定器の外枠の形状を考慮し、外枠に接続することのできる薄型の箱を作成し、この箱に台座を付けることによってＴＳＦ創外固定器を水平面に対し垂直に固定し、支持させた。【選択図】図１
2006334382.tif 000002
【特許請求の範囲】
【請求項１】
Ｔａｙｌｏｒ  Ｓｐａｔｉａｌ  Ｆｒａｍｅ創外固定器の外枠に接続できる、外枠の形状と一致した溝を持つ、創外固定器のリングを水平面に対して垂直に固定することが出来る薄型の箱と台座からなる方向指示器。
【請求項２】
Ｔａｙｌｏｒ  Ｓｐａｔｉａｌ  Ｆｒａｍｅ創外固定器の外枠の穴を利用して、その穴に芯棒を入れることで創外固定器のリングを水平面に対して垂直に固定することが出来る薄型の箱と台座からなる方向指示器。
【発明の詳細な説明】
【技術分野】
【０００１】  本発明は、今まで煩雑で時間が掛かり、かつ正確なレントゲン写真を得ることが困難であったＴＳＦ創外固定器装着患者のレントゲン撮影を飛躍的に容易に行うことができる、ＴＳＦ創外固定器に接続できる方向指示器に関するものである。
【背景技術】
【０００２】  ＴＳＦ創外固定器は、重度な骨折の急性期から、変形して癒合を来してしまった骨、感染を起こしてしまった骨、手足の先天奇形に至り、従来は治療に難渋していた幅広い整形外科的疾患に対応できる新しいタイプの創外固定器である。従来こういった疾患に用いられてきた種々の創外固定器は管理が煩雑で高度な技術を要したが、ＴＳＦ創外固定器の登場により管理上の煩雑さが軽減し、今後数年での普及が大いに期待される創外固定器である。
【発明の開示】
【発明が解決しようとする課題】
【０００３】  しかしＴＳＦ創外固定器で患者を治療する場合、創外固定器の決められた基準点に対し正確な真正面と真側面のレントゲン写真を撮影し、治療に必要な様々なパラメーターを計測する必要がある。また治療の過程を評価する上で、定期的（通常は１週間に１回）に同様な正確なレントゲン写真の撮影が要求される。しかしながら、正確な撮影を行うにあたって創外固定器を適切な位置に固定することは困難で、医師、放射線技師と患者の最大の協力をもってしても、撮影に多大な時間と労力を要し、他の患者の撮影が出来ないために業務に大きな支障を来していた。また、正確な写真を得るために何度も撮影を繰り返すため、患者の放射線被爆量が多くなるといった問題点があった。
【課題を解決するための手段】
【０００４】  ＴＳＦ創外固定器の外枠の形状を考慮し、外枠に接続することのできる薄型の箱を作成し、この箱に台座を付けることによってＴＳＦ創外固定器を水平面に対し垂直に固定し、支持させた。
本発明は、以上の構成よりなるＴＳＦ創外固定器の方向指示器である。
【発明の効果】
【０００５】  本発明によってＴＳＦ創外固定器が水平面に対して垂直に設置され、単純に垂直方向と側面からレントゲン撮影を行うだけで、必要な正確なレントゲン写真を得ることが出来るようになった。従って、短時間で撮影が済み、業務に支障を来さなくなり、患者の放射線被爆量も大幅に軽減できた。
【発明を実施するための最良の形態】
【０００６】  以下、本発明の実施の形態を説明する。
（イ）ＴＳＦ創外固定器（１）の外枠の形状を考慮し、外枠を納める薄型の箱（２）を作成する。し、その箱に台座（３）をつけて支持させる。
（ロ）その箱（２）に台座（３）を付けて支持させる。
（ハ）箱はＴＳＦ創外固定器の外枠に一致した溝（４）、あるいはＴＳＦの外枠の穴（５）に一致した大きさの穴（６）を設ける。
本発明は以上の構成よりなる。
本発明を使用する場合は、溝（４）にＴＳＦを収める、あるいは穴（５）と同じ径の芯棒（７）を差し込むことでＴＳＦ創外固定器を固定する。
これによって外枠が水平面に対して垂直に固定されるため、そのまま放射線を垂直方向と水平方向に照射することで、基準点に対する正確な真正面と真側面のレントゲン写真が容易に得られる。
【図面の簡単な説明】
【０００７】
【図１】ＴＳＦ創外固定器の外枠と一致した溝を持つ方向指示器
【図２】ＴＳＦ創外固定器の穴と一致した穴を持ち、芯棒を入れることで固定する方向指示器
【符号の説明】
【０００８】  （１）ＴＳＦの外枠  （２）箱  （３）台座  （４）溝
（５）ＴＳＦの外枠の穴  （６）箱の穴  （７）芯棒
【図１】
2006334382.tif 000003
【図２】
2006334382.tif 000004
(57)【要約】      （修正有）【課題】循環させて再使用する温水プール、銭湯、温泉、２４時間風呂等の用水を確実に殺菌できる装置を提供する。【解決手段】循環濾過装置に熱交換器５を組み込んで殺菌・加温を行わせるもので、浴槽１から装置に入った循環水はヘアーキャッチャー２を通りポンプ３で加圧され、濾過器４を通って熱交換器５に送られ予熱される。さらにヒーター６に導かれて加熱され殺菌温度以上に昇温される。ヒーター６の出口から熱交換器５の入口の間は殺菌に必要な温度と時間を調整し、つぎに循環水は熱交換器５でポンプ３から新たに流れてくる循環水を予熱し、殺菌済みの高温の循環水と新たに入ってくる低温の循環水と熱交換を行い、あらかじめ設定した温度にして浴槽１にもどす。【選択図】図１
2006334340.tif 000002
【特許請求の範囲】
【請求項１】
プール、銭湯、温泉、２４時間風呂とうの用水を再使用する温浴設備において、熱交換器を設けて、用水の熱殺菌と加温を同時に行えるようにした循環濾過装置。
【発明の詳細な説明】
【技術分野】  循環させて再使用する温水プール、銭湯、温泉、２４時間風呂等の水〈以下循環水と呼ぶ〉は、塩素系薬剤の投入による殺菌が厚労省により指導されている。これは主としてレジオネラ属菌と大腸菌を対象にしている。
［背景技術］【０００１】  従来使われている循環水の殺菌方法は塩素系薬剤の投入の他には、オゾン気泡の混入、紫外線の照射、光触媒、温水全体の加熱殺菌などが行はれている。しかしながら、これらの方法には、循環水の種類が多種多様であり、また使用目的も一様ではないので、一長一短となっている。たとえば温泉のなかには殺菌目的で投入された塩素剤と中和して、殺菌効果を失わせるものもあり、塩素臭のある温泉は嫌われるので大量投入もできない。また、オゾン発生器、光触媒は高価であり、オゾン気泡が水中に多く残留すると人体に悪影響をおよぼす。さらに、紫外線の照射は混濁した水には効果がなく、配管途中に発生するであろうバイオフィルムには、手がでない。【０００２】  レジオネラ属菌は、６０度Ｃの水にふれると１５分、７０度Ｃでは１分で死滅し、直接細菌が熱水に触れた場合には５秒で死滅するともいわれている。そのための加熱殺菌槽が市販されているが、それは６５度Ｃ  ３０分で運転され全水量を加熱しているので燃料にかかる費用が多くなっている。実際にはこれらの殺菌方法をいくつか組み合わせて使用しているのが現状である。以下の参考文献に詳しい。【０００３】  参考文献；
１．循環式浴槽におけるレジオネラ症防止対策マニュアルについて
厚生労働省ホームページ
２．温泉の殺菌処方について
特定非営利法人（ＮＰＯ）  入浴施設衛生施設管理推進協議会
［発明の開示］
［発明が解決しようとする課題］【０００４】  確実な殺菌がすべての水質に適用できるとともに、循環装置を使用するときに、必要となる再加温をも同時に行い、装置を安価でかつ、運転経費、主として燃料費の増加を防止する。また、殺菌後に循環水の水質の変化や、人体に悪影響のある変化を起こさせない。
［課題を解決する手段］【０００５】  循環水を再使用するには当然水質の汚れをとるのと同時に、一旦冷えた循環水を加熱して昇温させる必要がある。また、一方で殺菌のためには加熱温度とその保持時間の両方を必要としている。たとえば、６５度Ｃでは保持時間は３０分間であり、７０度Ｃ  以上ならば１分間でもよい。これは装置の中を流れる循環水全部を一時に加熱するのではなく、１分間流れる距離を、あるいは装置のなかの一部分で１分間滞留するあいだだけ加熱すればよいことを示している。以下図をもって説明する。【０００６】  図１において浴槽から装置にはいった循環水は、ヘアーキャッチャーを通りポンプで加圧され、濾過器を通って熱交換器に送られ予熱される。さらにヒーターに導かれて加熱され殺菌温度以上に昇温される。ヒーターの出口から熱交換器の入り口までの間、殺菌するのに必要な温度と保持時間を配管内の流速などを調整して、循環水が保てるようにする。場合によっては時間保持用の滞留ポットをこの区間に設けても良い。つぎに循環水は熱交換器でポンプからあらたに流れてくる循環水を予熱し、自身は殺菌温度からあらかじめ設定された吐出温度に冷やされ浴槽に戻される。説明は浴槽についておこなったが、プールについても同じである
［発明の効果］
実際に使用される多種類の循環水は加熱されるだけなので水質を変化させること無く、確実な殺菌を行うことができる。また循環再使用には装置の使用目的からいって必ず必要となる加温のエネルギーが節約できる。装置は単純でありオゾン発生器のような高価な機器は必要がなく、安価に作成、設置できる。
［発明を実施するための最良の形態］
本発明は温泉水等の資源の再利用に使用されるもので濾過循環装置に熱交換器または、熱交換器の機能を組み込んで殺菌・加温を行わせるものである。熱交換器の伝熱面積が大きいほど装置から吐出される循環水は多くなるので新に計画、設置するほうが使い勝手が良い。しかしヒーターから熱交換器のあいだだけを高温にして循環水の熱殺菌を行い、熱交換器以降は通常の吐出温度になるので、既設の装置に容易に組み込むことができる。
【図面の簡単な説明】
【図１】は本発明による配管図である。
【符号の説明】
１は浴槽、２はヘアーキャッチャー、３はポンプ、４は濾過器、５は熱交換器、６はヒーター、
→  は循環水の流れの方向を示す。
【図１】
2006334340.tif 000003
(57)【要約】【課題】従来のアイゼンは固定されたスパイクで、コンクリートの路面や石積みの階段などの硬い路面では金属面で滑るなど、安全に歩けない課題があった。【解決手段】鋼鈑やステンレス板など強度のある金属板で靴底に当接する鐙（あぶみ）を形成し、この鐙の両側にスプリングを介して上下に摺動するスパイクを設け、この鐙のスパイクはコンクリートなどの硬い路面では体重により押し込まれ、比較的柔らかい雪面や氷面ではスパイクの先端が突き刺さるようにスプリング力を付与したものである。【選択図】図１
2006334333.tif 000002
【特許請求の範囲】
【請求項１】
鋼鈑やステンレス板など強度のある金属板で靴底に当接する鐙（あぶみ）を形成し、この鐙の両側にスプリングを介して上下に摺動するスパイクを設け、この鐙のスパイクはコンクリートなどの硬い路面では体重により押し込まれ、比較的柔らかい雪面や氷面ではスパイクの先端が雪面や氷面に突き刺さるようにスプリング力を付与したことを特徴とするアイゼン。
【発明の詳細な説明】
【技術分野】
【０００１】  本発明は登山靴に装着するアイゼンの改良に関するものである。
【背景技術】
【０００２】  従来のアイゼンはアイゼンのスパイクは固定された形状のものであった。（例えば特許文献１参照）【０００３】
【特許文献１】特許公開２００４−３２１４９０号公報
【発明の開示】
【発明が解決しようとする課題】
【０００４】    固定されたスパイクのアイゼンの場合、コンクリートの路面や石積みの階段などの硬い路面では金属面で滑るなど、安全に歩けない課題があった。
【課題を解決するための手段】
【０００５】  この課題を解決するための技術的手段は次の通りである。
即ち、鋼鈑やステンレス板など強度のある金属板で靴底に当接する鐙（あぶみ）を形成し、この鐙の両側にスプリングを介して上下に摺動するスパイクを設け、この鐙のスパイクはコンクリートなどの硬い路面では体重により押し込まれ、比較的柔らかい雪面や氷面ではスパイクの先端が突き刺さるようにスプリング力を付与したものである。
【発明の効果】
【０００６】  固定されたスパイクのアイゼンの場合、コンクリートの路面や石積みの階段などの硬い路面では金属面で滑るなど、安全に歩けない課題があったが、本発明のアイゼンのスパイクはコンクリートなどの硬い路面では体重により押し込まれるので、金属面の滑りがなく、安全にコンクリートなどの路面を歩行できる。しかも、雪面や氷面の場合ではスパイクの先端が突き刺さり、滑ることなく安全に歩行できる効果を発揮する。
【発明を実施するための最良の形態】
【０００７】  次に、本発明を実施するための最良の形態について実施例を説明する。
【実施例１】
【０００８】  図１は本発明のアイゼンの側面図である。図２は本発明のアイゼンの正面図である。【０００９】  図１、図２、において、１は鋼鈑やステンレス板など強度のある金属板で靴底に当接する鐙（あぶみ）である。この鐙１の両側の上方と下方には先端が鋭利な金属のスパイク２が上下に摺動できる案内穴３、４をあけた案内板５、６が一体的に折り曲げて設けてある。このスパイク２にはスプリング止め部７が一体的に設けてあり、このスプリング止め部７と上方の案内穴３の間にスパイク２を下方に押し付けるスプリング８がスパイク２に挿入している。従って、スパイク２は図中、常時下方に突き出すようになっている。【００１０】  ９は鐙１を登山靴（２点鎖線で示す）１０の後方を締めるピアノ線などの後方バンドである。１１は登山靴１０に締め付ける前方の皮または布バンドである。１２はスパイク２の止め部７が下方の案内穴に当たる時に発する金属音を防止する合成ゴムのＯリングである。【００１１】  本発明の実施例は以上に詳述した形態であり、アイゼンのスパイクはコンクリートなどの硬い路面では体重により押し込まれるので、金属面の滑りがなく、安全にコンクリートなどの路面を歩行できて、しかも、雪面や氷面の場合ではスパイクの先端が突き刺さり、滑ることなく安全に歩行できる効果を発揮するものである。尚、本実施例ではスパイクは鐙の両側に各一本であるが、両側に各２本など複数本のスパイクにしてもよい。
【産業上の利用可能性】
【００１２】本発明の実施例は登山靴のアイゼンとして示しているが、例えば、建築現場の滑り止め安全靴などにも応用できる。
【図面の簡単な説明】
【００１３】
【図１】図１は本発明のアイゼンの側面図である。
【図２】図２は本発明のアイゼンの正面図である。
【符号の説明】
【００１４】  １  鐙（あぶみ）
２  スパイク
５  案内板
６  案内板
７  スプリング止め部
８  スプリング
９  後方バンド
１０  登山靴
１１  前方バンド
１２  Ｏリング
【図１】
2006334333.tif 000003
【図２】
2006334333.tif 000004
(57)【要約】【課題】従来の電荷移動型触媒が不足しているマイナスイオンの発生量は従来の光触媒よりも少なく、又、発生させるに至る構成要素も配合が難しいという難点があり、このような制約を克服しマイナスイオン発生量を増加させることによる性能向上に向けての開発が必要であった。【解決手段】本来、電荷移動型触媒が持つマイナスイオン発生性能を促進させる手段のひとつとして、その物質自体がマイナスイオン発生性能を持つ特殊セラミックパウダーを配合することにより、性能試験の結果、マイナスイオン発生性能が格段と向上することを確認した。【特許請求の範囲】
【請求項１】
抗菌防臭効果を目的として、電荷移動型触媒に特殊セラミックパウダーを混合分散した無光触媒型複合溶液。
【発明の詳細な説明】
【技術分野】
【０００１】この発明は、従来の電荷移動型触媒にマイナスイオンを発生する特殊セラミックパウダーを分散製剤化させることによって、本来電荷移動型触媒が持つ性能特性「脱臭・抗菌・防汚」性能をさらに進化させ、又、マイナスイオン発生量増加に伴うリラクゼーション効果増大を図ることにより、特に人体に対する様々な好影響を得ることが可能な、人に優しい共生効果を持った環境改善型のマイナスイオン発生電荷移動型触媒複合溶液に関するものである。
【背景技術】
【０００２】従来の電荷移動型触媒は、光触媒と比較して紫外線への依存度が僅少であり、光や水の存在といった環境変化に影響を受けにくい特質があるが、マイナスイオンの発生量は従来の光触媒よりも少なく、又、発生させるに至る構成要素も配合が難しいという難点があり、このような制約を克服するために高性能化に向けての開発が必要であった。
【発明の開示】
【発明が解決しようとする課題】
【０００３】本発明は、従来の電荷移動型触媒にマイナスイオンを発生する特殊セラミックパウダーを分散製剤化させることによって、マイナスイオン発生量の増加を図り、リラクゼーション効果の向上を図ることを開発テーマとして研究を進めた。
【課題を解決するための手段】
【０００４】本来、電荷移動型触媒が持つマイナスイオン発生性能を促進させる手段のひとつとして、その物質自体がマイナスイオン発生性能を持つ特殊セラミックパウダーを配合することにより、性能試験の結果、マイナスイオン発生性能が格段と向上することを確認した。しかし、このように無機質物体を液体に分散させた場合には、短時間の静置保管において沈降沈殿が発生するのが一般的であり、再攪拌後に沈殿物が生じず容易に再分散する特性をいかに付与させるかが、開発の大きなポイントであった。
【発明の効果】
【０００５】人の生活環境領域において、天井、壁面、カーテン、又はインテリア小物等の全域にスプレーガン等により簡単に塗布施工が可能であり、その施工領域に対する紫外線光を必要とせずに、確実に強力な酸化分解反応によって有害物質の無害化、消臭、抗菌、そして妨汚効果を発揮、生活環境浄化対策が可能となるばかりではなく、さらに強力な滅菌作用により院内感染予防にも効果を発揮する。又、塗布層が強固な皮膜特性を持っているため、一度塗布施工すれば半永久的に効果が持続し、メンテナンスフリーをも実現する。
【発明を実施するための最良の形態】
【０００６】電荷移動型触媒の酸化分解性能についての性能試験において、特殊セラミックパウダーを配合したことによる性能の劣化は見られなかった。次にマイナスイオン発生性能に関する性能試験を実施した。
【マイナスイオン効果性能試験】
【粉末のエネルギー量測定】
１．▲黒四角▼市販「０．３μトルマリン粉末」１ｇのエネルギー量の確認。
◎ＭＡＸ・・・１００ｃｍ／ｍｉｓ（あまり多くのエネルギー量は発生していない。）
２．□「特殊セラミックパウダー」１ｇのエネルギー量の確認。
◎ＭＡＸ・・・１６００ｃｍ／ｍｉｓ（充分なエネルギー量が測定出来た。）
【分散製剤化試験】
１．試作品▲黒四角▼市販「０．３μトルマリン粉末」濃度２０％溶液（分散溶液）を用い、電荷移動型触媒有効濃度１５％溶液でスプレーを試作した。このスプレー中に含まれる「０．３μトルマリン」の濃度は２％とした。（トルマリンを２０％溶液にすると、短時間の静置において粉末が沈降し、再撹拌しても沈降物の一部は再分散せず容器底部に沈澱した。よって特殊技術を用い水系分散品を試作して用いた。）
２．試作品□「特殊セラミックパウダー」有効成分濃度１０％の分散水溶液を用い、電荷移動型触媒有効濃度１５％でスプレーを試作した。このスプレー中に含まれる「特殊セラミックパウダー」有効濃度は１．５％とした。
☆試作品▲黒四角▼と試作品□の各々をカーテン素材（ポリエステル１００％）にスプレーし、「エネルギー量」を測定した。
◇ブランク‥‥‥何もスプレーしていない生地。
◇試作品▲黒四角▼‥‥‥０．３μトルマリン分散製剤スプレー塗布した生地。
◇試作品□‥‥‥特殊セラミックパウダー分散製剤スプレー塗布した生地。
【結果】
◇試作品▲黒四角▼‥‥‥エネルギー量によるマイナスイオン発生効果は確認出来なかった。
◇試作品□‥‥‥エネルギーの発生が見られ、それによりマイナスイオン発生が確認出来た。
以上の結果、自然界で森林の中のリラクゼーション効果は、マイナスイオン量が、約２００〜３００個／ｃｍ３といわれており、そこでこの値を目標値として、電荷移動型触媒溶液と特殊セラミックパウダーの混合分散製剤を開発した。尚、使用する目的用途によって要求する目標値に合わせたマイナスイオンの発生量調整が可能であり、人に優しく自然環境に添ったリラクゼーション効果が可能となった。
(57)【要約】【課題】座布団、枕等に用いるクッションの形状では、使用していくうちに、厚みやクッション性が失われる。厚みやクッション性を元の状態に戻すには縫製されている部分をほどき、中綿を出し、綿をほぐしてからまた元に戻さなければならなかった。【解決手段】中綿を手でほぐすことのできる手袋４をクッション本体１の内側に設ける。手袋４は例えば、クッションの大きさに応じて複数設けられる。【選択図】図１
2006334336.tif 000002
【特許請求の範囲】
【請求項１】
中綿を手でほぐすことのできる手袋をクッションの内側に設けたことを特徴とするクッション。
【請求項２】
前記手袋はクッションの大きさに応じて複数設けられたことを特徴とする請求項１記載のクッション。
【発明の詳細な説明】
【技術分野】
【０００１】  この発明は、座布団、枕等に用いるクッションの形状に関する。
【背景技術】
【０００２】  従来の綿、ポリエステル等の中綿を使用したクッションは、図３が示すように、中綿が飛び出さないよう布ですべて覆われ縫製されている。
【発明の開示】
【発明が解決しようとする課題】
【０００３】  しかしながら、以上の技術によれば、クッションは使用していくうちに、中綿の繊維が密着し固まってしまい、厚み、クッション性が失われていた。そこでこの発明は、長期間厚み、クッション性の持続を提供することを課題とする。
【課題を解決するための手段】
【０００４】  以上の課題を解決するために、第一発明は、中綿を手でほぐすことのできる手袋４をクッション本体１の内側に設けたことを特徴とするクッションである。また、第二発明は、中綿を手でほぐすことのできる手袋４を複数設けられたことを特徴とするクッションである。
【発明の効果】
【０００５】  第一発明、または第二発明によれば、クッションの中綿の繊維が密着し固まってしまい厚み、クッション性が失われる前に、中綿を手でほぐすことのできる手袋４をクッション本体１の内側に設けたことで、中綿の繊維が密着し固まってしまうことを防げる。
【発明を実施するための最良の形態】
【０００６】  この発明の一実施形態を、図１に示す。
クッションの本体１は布製であり、この本体１の中には中綿２が詰まっている。手を入れる口３、中綿を手でほぐすことのできる手袋４がクッション本体１の内側に付く、これは図２の形の布を２枚合わせ一点鎖線部分を縫製し、裏返して中綿２を入れ、縫製しできる手を入れる口３、手袋４である。
【図面の簡単な説明】
【０００７】
【図１】この発明の一実施形態を示す斜視図である。
【図２】本体１の展開図である。
【図３】従来技術を示す斜視図である。
【符号の説明】
【０００８】  １  クッション本体                  ２  中綿
３  手を入れる口                    ４  手袋
【図１】
2006334336.tif 000003
【図２】
2006334336.tif 000004
【図３】
2006334336.tif 000005
(57)【要約】【課題】従来のテーブルは、テーブル本来の目的を達成するものであり、テーブル自体で、遊ぶ・楽しむ・という目的はなかった。【解決手段】テーブルの天板面に、ゲーム等ができたり、絵等が描け、かつ容易に消すことができ、又、マグネット機能を持つ素材を埋め込むか貼り付ける。このことにより、テーブル本来の機能を損なわず、面白みを持ったテーブルにした。又、テーブル本体から脱着できるようにする。【選択図】  図２
2006334346.tif 000002
【特許請求の範囲】
【請求項１】
テーブルの天板面に絵等が描け、容易に消すことができ、又、マグネット機能を持ち、本体とは別の材質の物を、貼るか埋め込んだもの。
【発明の詳細な説明】
【発明の詳細な説明】
【技術分野】
【０００１】本発明は、誰もが使用してみたいと興味を持つ事を図ったテーブルに関するものである。
【背景技術】
【０００２】従来のテーブルは、テーブル本来の目的を達成するもだけの在り方である。
【発明が解決しようとする課題】
【０００３】（イ）上で述べたように従来のテーブルは、物等置くなど、テーブル本来の目的を達成するだけの物である。
（ロ）本発明は、従来のテーブルの在り方を変えた考えによるものである。
【課題を解決するための手段】
【０００４】本発明は、課題を解決する為に、テーブルの天板面に絵が描けたり、ゲーム等が出来る様に、書いても容易に消せ、かつマグネット式の物を埋め込む又は、貼り付ける物とする。
【発明を実施するための最良の形態】
【０００５】テーブルの天板面に、埋め込む物が固定あるいは容易に脱着、又、張る物が容易に剥がれる様にする。又、埋め込むか貼り付ける物は，何も描かれていない物や、迷路や碁盤の目等が描かれている物など、色々なタイプを用意しマグネット式にする。又、テーブル全体のデザインは、ファッション性に富んだものにする。
本発明は以上のような構造である。
【発明の効果】
【０００６】本発明は、テーブルの天板面に絵等が描けるものを埋め込む、又は、貼り付ける事により従来のテーブルとは違い、楽しむ・遊ぶ・がプラスされ、テーブル本来の目的及び機能も損なわず、子供たちには各能力の発育を促し、効果は絶大となる。
【図面の簡単な説明】
【０００７】
【図１】本発明のテーブルの平面図である。
【図２】本発明のテーブルの断面図である。
【符号の説明】
【０００８】１  テーブル本体。
２  絵等が描けるもの。
【図１】
2006334346.tif 000003
【図２】
2006334346.tif 000004
(57)【要約】【課題】        雨天、降雪の中、混んだ電車等に濡れた傘を持ち込む場合、また、屋根のない屋外での車両乗降において、傘の開閉の容易性、利便性の向上が望まれる。また、これらの利用分野に留まらず、日常の一般生活における雨天、降雪時の歩行にも利用可能な、構造が簡単で取り扱いの容易な低コストの傘が望まれる。【解決手段】    課題を解決するために提案する傘は、折り畳み式でない通常の傘およびワンタッチ開閉傘において、傘の主骨が、傘の中心棒に沿って手元から可動する骨受け可動環側に結合され、補強骨が傘先端部に固定されている骨受け固定環に結合されている等、傘骨の組合せ構造が在来形と異なっているため、傘の開閉が先端側で開閉し、通常の傘とは逆になっており、傘の濡れる面が内部に織り込まれて、取り扱いが容易なものである。【選択図】      図１
2006334344.tif 000002
【特許請求の範囲】
【請求項１】
折り畳み形ではない一般の傘およびワンタッチ開閉形の傘において、長い主骨が、傘の中心棒に沿って手元から可動する骨受け可動環側に結合されており、短い補強骨が、傘先端部に固定されている骨受け固定環に結合されている構造となっていることを特徴とする傘。
【発明の詳細な説明】
【技術分野】
【０００１】自動車、電車等の利用は、現代の社会、経済システムの中では必要不可欠である。特に人が、雨天、降雪などの悪天候にあって、混んだ電車等に濡れた傘を持ち込む場合、また、屋根のない屋外での車両乗降において、傘の開閉の容易性、利便性の向上が望まれる。また、このような利便性を持つ傘は、構造が簡単で低コストであれば、一般生活において広く利用できよう。本発明は、このような容易性、利便性を向上するための、傘の構造改良に関するものである。
【背景技術】
【０００２】従来の傘の改良には本発明の目指すところと同じ目的を持ったものがある。たとえば、文献１では、傘の開閉を従来と逆にすることが出来るようになっているが、傘の骨の構造は従来の傘の構造を踏襲したものであり、補助骨を加えることにより従来の傘と同じ開閉も可能となっている等、本発明とは異なり極めて複雑なものである。また、文献２および文献３では、傘の開閉を従来と逆にすることが出来るようになっているが、まったく構造が本発明とは異なる。
【特許文献１】特開平１１−１６４７１７号公報（第５頁、図１０）
【特許文献２】特開平９−１０８０１５号公報（第５頁、図１）
【特許文献３】特開２０００−６０６１６号公報（第３頁、図１）
【発明の開示】
【発明が解決しようとする課題】
【０００３】従来の傘は、傘を閉じた時に雨等で濡れた面が常に外側になるため、閉じた傘を混んだ電車等の車両に持ち込む時、自分にとっても、周りの人にとっても迷惑であったので、本発明が解決しようとする課題のひとつは、傘を閉じたときに濡れた面が内側になることである。。また従来の傘は、傘の先端部を中心にして外開きであったため、携帯する傘の開閉には外界物が邪魔になる嫌いがあった。特に自動車等車両扉の開閉に伴っての傘の利用は、狭い空間での傘の開閉が容易でなく、雨天、降雪時に乗降者が濡れてしまう等不便であったので、本発明が解決しようとするふたつ目の課題は、外界物が少々邪魔になっても傘の開閉が容易なように、傘を手元側から上方に向かって開けること、また先端側から傘を閉じることである。さらに、このような課題解決に当たって、構造が簡単で、部品点数が従来の傘に比べて多くなく、コストアップを防ぐことである。
【課題を解決するための手段】
【０００４】本発明は、課題を解決する手段として、従来の傘に比べて、部品点数を変えずに、傘の組み立て構造だけを変更して対処する。すなわち、折り畳み形ではない一般の傘およびワンタッチ開閉形の傘において、主骨が、傘の中心棒に沿って手元から可動する骨受け可動環側に結合され、また、主骨の中央で組み合わされている補強骨の他端は、傘先端部に固定されている骨受け固定環に結合される構造を採用する。この構造により、手前側からの可動環を傘の先端側に動かすことにより傘は上方に向かって開く。
【発明の効果】
【０００５】本発明の効果は、本発明による傘が極めて簡単な構造であり、従来の傘のコストと変わらないので、一般の幅広い利用が可能であることである。また、本発明による傘は、閉じたときに濡れた面が隠れるので自分および周りの人に迷惑が掛からないことである。そして、本発明による傘は、雨天、降雪時の乗用車等の車両乗降に便利である。
【発明を実施するための最良の形態】
【０００６】本発明は、折り畳み形ではない一般の傘およびワンタッチ開閉形の傘において、主骨５が、傘の中心棒１に沿って手元から可動する骨受け可動環８側に結合されており、補強骨６が傘先端部の石突き３の下部に固定されている骨受け固定環７に結合されている構造となっている。
【実施例】
【０００７】本発明の傘を開いた状態では、骨受け可動環８は止め片９で中心棒に止められており、傘幕は一杯に張られた状態である。補強骨６は主骨５の途中に結合されており、主骨５に強度を持たせている。なお、主骨５は補強骨６との組合せ位置から先端側部分に下向きのアールがとってある。【０００８】本発明の傘を閉じつつある状態では、骨受け可動環８は止め片９から外れて中心棒を手元に向かって下げられつつある。この状態では傘幕は弛み、主骨５と補強骨６によって出来るくぼみの中に折り畳まれる。【０００９】本発明の傘を完全に閉じた状態では、骨受け可動環８は中心棒の手元側の止め片１０で止められており、傘幕は、主骨５と補強骨６との間に折り畳まれ格納されている。この状態で主骨５は、予めつけられたアールのため、傘の先端側ですこし開いた状態であるので、これは布ベルト等で締め付け、邪魔にならぬように中心棒側に引き込むことができる。【００１０】本発明の傘を閉じた状態で持ち歩く時には、柄２の方を持ってもよいし、石突き３または石突き３ににつけた吊り輪１１を持っても良い。【００１１】ワンタッチ開閉形の傘についても、本発明の構造を採用することで、本発明の目的とするところを達成することができる。
【産業上の利用可能性】
【００１２】この発明の傘は、単独でも社会へのインパクトがあるが、自動車等の扉に装着、自動開閉を行えば、利用分野は大きく広がると考えられる。以下の各図は、８本ある主骨と補強骨の左右２本に関して描いたもので、他の部分は省略してあるが、６本の骨に関連した部分はそれぞれの図と同一である。
【図面の簡単な説明】
【００１３】
【図１】本発明の傘を開いた状態を示す図である。
【図２】傘を開きつつある状態を示す図である。
【図３】傘を閉じた状態を示す図である。
【符号の説明】
【００１４】１      中心棒
２      柄
３      石突き（上部柄）
４      傘幕
５      主骨
６      補強骨
７      骨受け固定環
８      骨受け可動環
９      止め片
１０    止め片
１１    吊り輪
【図１】
2006334344.tif 000003
【図２】
2006334344.tif 000004
【図３】
2006334344.tif 000005
(57)【要約】      （修正有）【課題】地震発生時に飛散落下してくるガラス片又はコンクリート片から自身を守る鞄型防災用具を提供する。【解決手段】取っ手９のついた鞄８の内部に、折り畳み収納可能な防災用アクリル板又は強化プラスチツク板製の後部ガード１０と側部ガード１２を設け、地震発生時には防災装置作動ボタン２７を押してスプリングを作動させることにより、瞬時に鞄を両側に開いて、頭部に乗せて飛来落下物から身を守る。防災アクリル板又は強化プラスチック板の形状維持接点にはマグネットを設け、磁力により接続維持する。【選択図】図２
2006334345.tif 000002
【特許請求の範囲】
【請求項１】
本装置は通常使用する鞄に防災用アクリル板又は強化プラスチック板を接続し地震災害発生時瞬時に作動させこれを被ることによりガラス破片砕けたコンクリート破片等落下物から身を守り安全な場所へ避難することが出来る
【請求項２】
鞄の形状サイズを変える事により男性用女性用のヘッドガード上半身ガード全身ガードの各種得る事ができる
【請求項３】
防災用アクリル板又は強化プラスチック板は接続部で折りたたみ収納とし折りたたんだ後鞄部に収納固定する
【請求項４】
防災用アクリル板又は強化プラスチック板結合部蝶番にはそれぞれＩ型Ｌ型スプリングを設け作動時の形状を各部スプリングによる角度によって維持することにより素早く使用する事ができる
【請求項５】
防災アクリル板又は強化プラスチック板の形状維持接点にはそれぞれマグネットを設け作動時の形状を磁力により接続維持する
【請求項６】
鞄の中心部にアクリル板等を組み込んだ場合鞄は両側使用となる防災用として使用する時は鞄の留め金をワンタッチボタンで外すと鞄は両側に開き防災アクリルが所定の形状にセットされる
【発明の詳細な説明】
【発明の詳細な説明】
【０００１】本発明は大地震が発生し多量のガラス破片やコンクリート破片等が飛散落下し人体に被害が及ぶ事態が考えられる時鞄の留め金を外すワンタッチボタンを押すと瞬時に鞄が両側に開き同時に収納してある防災アクリル板が所定の位置に広がりセットされるこれを被ることにより飛散落下物による人的被災を最小に留める事が出来る
【０００２】開いた鞄を頭部に被り内側取っ手を利用しアクリルガード板の短い方を前面とし側部ガード部後部ガード部の作動広がりを確認し素早く安全な場所まで避難する
【産業上の利用分野】
【０００３】現在防災用品は数多く考案され発売されておるが大地震発生後のライフライン確保までの商品が多いのが実情である日常持ち歩く鞄と防御版を組み合わせた本商品は都市型大地震による人的被害を最小に留める事が出来る新製品として試作開発製造販売に期待がもてる
【背景技術】
【０００４】地震があったら机またはテーブルの下に入る外に出る際は綿入り防災ズキンをかぶるということは良く言われていたしかし防災用品を持ち歩く人は見られず護身対策の無いのが現状と思われる
【発明が解決しようとする課題】
【０００５】都市型大地震が発生した時の人的被災が多くの予想データにより多大になると予想されている地震に対する対策がほとんどないのが現状である責めて飛散落下物から身を守ることが出来ないか対策が急がれる
【課題を解決する為の手段】
【０００６】本発明は今後発生すると予測されている都市型大地震に対する備えとして何時も持ち歩く鞄を防災用品として利用する方法で大地震発生時の飛散落下物による人的被災を最小にする事が出来る
【実施例】
【０００７】地震発生時鞄のワンタッチボタンを押すと瞬時に鞄が両側に開き防災アクリル板の蝶番スプリングにより鞄部はＬ型前方防災アクリルガートはＬ型後方防災アクリルガードはＬ型Ｉ型側部はＩＬ型と所定の角度に設定される又前部後部側部防災アクリルガードはマグネットによりそれぞれ接続される開いた鞄部を頭部に乗せ飛来落下物から身を守り速やかに安全が確保される場所へ避難する
【発明の効果】
【０００８】本発明は新規性においては全く類似製品はなくまた社会性においても人身被災の軽減に役立つことが出来ることで大いに社会貢献できる製品として期待できる
【発明を実施するための最良の形態】
【０００９】本発明は鞄と防災用アクリルという全く異業種の組み合わせとなる事から各担当者による綿密な打合せが必要となる
【図面の簡単な説明】
【００１０】
【図１】１側面図  ２断面図  ３平面図である
【図２】実施展開図である
【図３】１組立表面図  ２背面図である
【図４】折りたたみ方図である
【図５】格納図である
【符号の説明】
【００１１】  １側面図
２断面図
３平面図
４鞄高さ  ３００ｍｍ
５全高さ  ４００ｍｍ
６鞄巾    １００ｍｍ
７鞄全長  ４２０ｍｍ
８鞄部
９取っ手
１０後部ガード
１１下部留め具
１２側部ガード
１３平スプリング連結部
１４前面固定スプリング縮
１５上部連結部
１６前部マグネット
１７使用時手持部
１８前面図
１９後面図
２０後部マグネット
２１前面固定スプリング伸
２２Ｌスプリング連結部
２３鞄用メーンスプリング
２４収納図
２５鞄開閉部
２６下部留部
２７防災装置作動ボタン
【図１】
2006334345.tif 000003
【図２】
2006334345.tif 000004
【図３】
2006334345.tif 000005
【図４】
2006334345.tif 000006
【図５】
2006334345.tif 000007
(57)【要約】【課題】  帯締め（紐状の装身具）を通さずに帯留め（装飾品）を装着しやすくする止め具を提供する。【解決手段】  帯留め台座の上部２点と下部１点に開口部のある支持具を設け、帯締めに上部の支持具を掛け、下部の支持具で受け帯留めを固定することを特徴とする帯留め止め具。【選択図】  図２
2006334347.tif 000002
【特許請求の範囲】
【請求項１】
帯留め台座と、帯締め紐を前部開口部から差し込んで保持できるように形成された上部支持具と下部支持具からなることを特徴とする帯留め止め具。
【請求項２】
帯留め台座の左右上部と中央下部に開口部のある支持具を設け、帯締めに上部の支持具を掛け、下部の支持具で受け帯留めを固定することを特徴とする帯留め止め具。
【請求項３】
上部あるいは下部の開口部のある支持具は帯締めの幅に応じた帯締め紐固定手段を有したことを特徴とする請求項１又は請求項２記載の帯留め止め具。
【発明の詳細な説明】
【技術分野】
【０００１】  本発明は帯締め（紐状の装身具）を通さずに帯留め（装飾品）を装着しやすくする止め具に関するものである。
【背景技術】
【０００２】  従来、帯留めをあらかじめ帯締めに固定するのではなく着脱を容易にするには帯締めを通す閉じられた環状の帯留め金具が使用されていた。
【発明の開示】
【発明が解決しようとする課題】
【０００３】  そのために次のような問題点があった。
帯締めを帯留め金具に通す際に端の房が通しにくく、房の形をくずし易かった。
金具の環も房を通すために帯締め紐の厚みより大きくなければならず、装着感が悪く、デザイン上も限定があった。
また一度帯締めを結んでしまうと、外す事ができなかった。
本発明は、これらの問題点を解決するためになされたものである。
【課題を解決するための手段】
【０００４】  帯留め台座の上部と下部に開口部のある支持具を設け、帯締めを開口部より差し込み上部の支持具に掛け、下部の支持具で受け帯留めを固定する。以上を特徴とする帯留め止め具である。
【発明の効果】
【０００５】  本発明は帯留めを帯締めに着け易く外れ難くする。帯締めを結んでからも着脱出来る。デザインの自由度が高く形状がスリムで帯留めの装飾性に悪影響がない。
【実施例１】
【０００６】  以下、本発明を実施するための最良の形態を説明する。
帯留め本体（４）を定着させる台座（３）に、帯締め紐（５）上部を差し込み２点で平行に保持できるように支持具（１ａ）を上部左右に付ける。下部中央に帯締め紐（５）の幅に応じて支持具（２ａ）を付ける。
本発明は以上のような構造で、これを使用するときは、図３に示す使用手順のように帯締め紐（５）上部を支持具（１ａ）に差し込み、下部を支持具（２ａ）に掛け固定する。
【実施例２】
【０００７】  以下、本発明の応用例を説明する。
本発明の上部支持具（１ｂ）に支点（７）にかしめ固定し、充分な抵抗をもちながら回動できるように台座に付ける。これを使用するときは、帯締めを下部支持具（２ｂ）に差し込み帯締めの幅に応じて支持具（１ｂ）を回動させ、帯留めを帯締めに固定する。
【実施例３】
【０００８】  本発明の上部支持具（１ｃ）に貫通穴（８）を設け、ブローチピン（９）を付属させる。これにより帯留めをブローチとしても使用できる。
【図面の簡単な説明】
【０００９】
【図１】本発明の斜視図
【図２】本発明の実施例１の斜視図
【図３】本発明の使用手順を示す斜視図
【図４】本発明の使用状態を示す斜視図
【図５】本発明の実施例２の使用説明図
【図６】本発明の実施例３の斜視図
【符号の説明】
【０００１０】１、１ａ、１ｂ、１ｃ  上部支持具
２、２ａ、２ｂ、２ｃ  下部支持具
３  台座
４  帯留め本体
５  帯締め紐
６  開口部
７  支点
８  貫通穴
９  ブローチピン
【図１】
2006334347.tif 000003
【図２】
2006334347.tif 000004
【図３】
2006334347.tif 000005
【図４】
2006334347.tif 000006
【図５】
2006334347.tif 000007
【図６】
2006334347.tif 000008